(57)【要約】【課題】  撮像装置を大型化することなく、蓄電および放電をおこなうキャパシタを撮像装置内部に配置すること。【解決手段】  充電および放電によって膨張するキャパシタと、撮像用のレンズを含むレンズ鏡筒ユニットと、キャパシタの第１の面とレンズ鏡筒ユニットによって形成された空間の一部に設けられ、キャパシタを支持する支持部と、を有し、当該支持部は、キャパシタを支持する方向と直交する方向において、レンズ鏡筒ユニットと重畳していることを特徴とする構成とした。【選択図】  図５
2016042150.tif 000002
【特許請求の範囲】
【請求項１】
充電および放電によって膨張するキャパシタと、
撮像用のレンズを含むレンズ鏡筒ユニットと、
前記キャパシタの第１の面と前記レンズ鏡筒ユニットによって形成された空間の一部に設けられ、前記キャパシタを支持する支持部と、
を有し、
前記支持部は、当該支持部が前記キャパシタを支持する方向と直交する方向において、前記レンズ鏡筒ユニットと重畳していることを特徴とする撮像装置。
【請求項２】
前記レンズ鏡筒ユニットは、前記支持部が設けられている側に少なくとも１つ以上の突出部を有しており、
前記支持部は、当該支持部が前記キャパシタを支持する方向と直交する方向において、前記突出部と重畳していることを特徴とする請求項１に記載の撮像装置。
【請求項３】
前記支持部は、前記キャパシタの前記第１の面と対向して配置されたベース部材と、前記キャパシタの前記第１の面と前記ベース部材とによって形成された空間の一部に設けられた弾性部材と、を有することを特徴とする請求項２に記載の撮像装置。
【請求項４】
前記ベース部材は、前記弾性部材が前記キャパシタを支持する方向と直交する方向において、前記レンズ鏡筒ユニットの前記突出部と重畳していることを特徴とする請求項３に記載の撮像装置。
【請求項５】
前記キャパシタは、略矩形の扁平形状であることを特徴とする請求項４に記載の撮像装置。
【請求項６】
前記弾性部材は、前記キャパシタの前記第１の面と前記ベース部材によって形成された空間のうち、前記撮像用のレンズの光軸と平行な方向である第１の方向、および、前記弾性部材が前記キャパシタを支持する方向と前記第１の方向と直交する方向である第２の方向の何れか一方において、前記突出部と重畳しない位置に設けられていることを特徴とする請求項５に記載の撮像装置。
【請求項７】
前記突出部は、前記キャパシタおよび前記撮像用のレンズの周辺の温度を検出することができる電子部品であることを特徴とする請求項２乃至６の何れか一項に記載の撮像装置。
【請求項８】
前記キャパシタの前記第１の面とは反対側の第２の面に対向した位置に、前記キャパシタを実装する基板を有することを特徴とする請求項１乃至７の何れか一項に記載の撮像装置。
【請求項９】
前記キャパシタは、前記撮像用のレンズの光軸に対して前記支持部が設けられている側とは反対側に、前記に実装するための実装端子を備えていることを特徴とする請求項８に記載の撮像装置。
【請求項１０】
前記キャパシタは、電気二重層キャパシタであることを特徴とする請求項１乃至９の何れか一項に記載の撮像装置。
【発明の詳細な説明】
【技術分野】
【０００１】
本発明は、放電および蓄電ができるキャパシタを備えた撮像装置に関する。
【背景技術】
【０００２】
近年、撮像装置の小型化に伴い、発光手段や、当該発光手段を発光するための蓄電および放電をおこなうコンデンサ（キャパシタ）を小型化する傾向がある。しかしながら、キャパシタを小型化することによって、キャパシタから発光手段に供給できる電力は減少する。この場合、発光手段は、ユーザが意図する十分な発光量で発光ができない場合がある。
【０００３】
従来、上述した課題を解決するために、大容量の蓄電および放電ができるキャパシタを用いることが知られている。特許文献１には、光源部に供給する電力を蓄えるキャパシタとして電気二重層キャパシタ（コンデンサ）を採用した発光素子駆動装置について提案されている。
【先行技術文献】
【特許文献】
【０００４】
【特許文献１】特開２００７−１０８５４５号公報
【発明の概要】
【発明が解決しようとする課題】
【０００５】
ここで、キャパシタの外装としてソフトケースやフィルムなどを採用する場合、充電および放電に応じて、当該キャパシタは膨張および収縮してしまう。特に、特許文献１に記載されている電気二重層キャパシタなどの大容量のキャパシタでは、放電および蓄電に応じた膨張および収縮の影響が大きい。
【０００６】
したがって、特許文献１に記載のキャパシタの外装としてソフトケースやフィルムを採用して撮像装置に適用した場合、膨張や収縮を考慮して当該キャパシタを撮像装置内部に配置する必要があるため、撮像装置が大型化してしまう。
【０００７】
本発明の目的は、撮像装置を大型化することなく、蓄電および放電をおこなうキャパシタを撮像装置内部に配置することである。
【課題を解決するための手段】
【０００８】
上記目的を達成するための本発明の撮像装置は、充電および放電によって膨張するキャパシタと、撮像用のレンズを含むレンズ鏡筒ユニットと、前記キャパシタの第１の面と前記レンズ鏡筒ユニットによって形成された空間の一部に設けられ、前記キャパシタを支持する支持部と、を有し、前記支持部は、当該支持部が前記キャパシタを支持する方向と直交する方向において、前記レンズ鏡筒ユニットと重畳していることを特徴とする。
【発明の効果】
【０００９】
本発明によれば、撮像装置を大型化することなく、蓄電および放電をおこなうキャパシタを撮像装置内部に配置することができる。
【図面の簡単な説明】
【００１０】
【図１】本発明を実施した撮像装置の実施形態であるデジタルカメラ１を正面側から見た場合の外観斜視図である。
【図２】本発明を実施した撮像装置の実施形態であるデジタルカメラ１の内部構造を図示した分解斜視図である。
【図３】本発明を実施した撮像装置の実施形態であるデジタルカメラ１のレンズ鏡筒ユニット９およびバッテリーボックスユニット１０を正面側から見た外観斜視図である。
【図４】本発明を実施した撮像装置の実施形態であるデジタルカメラ１のバッテリーボックスユニット１０の要部斜視図である。
【図５】本発明を実施した撮像装置の実施形態であるデジタルカメラ１の電気二重層キャパシタ２１とその周辺の構成について説明する図である。
【図６】本発明を実施した撮像装置の実施形態であるデジタルカメラ１の電気二重層キャパシタ２１が膨脹した状態を例示的に示した断面図である。
【図７】本発明を実施した撮像装置の実施形態であるデジタルカメラ１を右側面側から見た際の電気二重層キャパシタ２１とその周辺の構成について説明した図である。
【図８】本発明を実施した撮像装置の実施形態であるデジタルカメラ１のレンズ鏡筒ユニット９とバッテリーボックスユニット１０とを組み合わせた状態の正面図である。
【発明を実施するための形態】
【００１１】
（実施形態）
本発明に係る実施形態としてのデジタルカメラ（以下、単にカメラと称す）１について図１〜図８を参照して説明する。図１は、本発明を実施した撮像装置の実施形態であるカメラ１を正面側から見た場合の外観斜視図である。なお、以下の説明では、後述する照明窓３が設けられている側を正面側とする。また、後述するリヤカバーユニット５が設けられている側を背面側とする。また、後述する左サイドカバーユニット７が設けられている側を左側面側とし、後述する右サイドカバーユニット８が設けられている側を右側面側とする。さらに、後述するトップカバーユニット６が設けられている側を上面側とし、後述するレンズ鏡筒ユニット９を挟んでトップカバーユニット６の側を下面側とする。
【００１２】
撮影レンズ鏡筒２は、被写体の光学像を撮像素子（不図示）まで導く撮像用のレンズを含むレンズ鏡筒である。照明窓３は、後述する発光部１７を発光させた際の照明光を被写体方向に透過させるための窓部である。図１に図示するように、照明窓３は、カメラ１の正面側であって撮影レンズ鏡筒２の近傍に設けられている。
【００１３】
図２は、本発明を実施した撮像装置の実施形態であるカメラ１の内部構造を図示した分解斜視図である。図２に図示するように、カメラ１の外装部分（筐体）は、フロントカバーユニット４、リヤカバーユニット５、トップカバーユニット６、左サイドカバーユニット７、右サイドカバーユニット８によって形成されている。
【００１４】
また、図２に図示するように、上述したカメラ１の外装部分に内包される内部筐体は、レンズ鏡筒ユニット９、バッテリーボックスユニット１０、メイン基板ユニット１１などによって形成されている。
【００１５】
メイン基板ユニット１１は、カメラ１の動作を統括的に制御するシステム制御部（不図示）など、カメラ１の駆動および動作に必要な電子部品が実装されたメイン基板（不図示）を含むユニットである。メイン基板ユニット１１のメイン基板には、後述するフレキシブルプリント配線基板（第１の基板）１３とフレキシブルプリント配線基板（第２の基板）１６が接続されている。
【００１６】
以下、レンズ鏡筒ユニット９、バッテリーボックスユニット１０について図３を参照して説明する。図３は、本発明を実施した撮像装置の実施形態であるカメラ１のレンズ鏡筒ユニット９およびバッテリーボックスユニット１０を正面側から見た外観斜視図である。
【００１７】
レンズ鏡筒ユニット９には、上面側に電子部品１２が実装されたフレキシブルプリント配線基板（第１の基板）１３が設けられている。なお、電子部品１２は、撮像用のレンズや後述する電気二重層キャパシタ２１の周辺の温度を検出するサーミスタである。この詳細については後述する。
【００１８】
レンズ鏡筒ユニット９には、上面側に突出したボス（位置決め固定部）１４ａ、１４ｂが設けられている。なお、以下の説明では、レンズ鏡筒ユニット９を構成する各部のうち、カメラ１の上面側であって後述する弾性部材２３が設けられている側に突出している電子部品１２およびボス１４ａ、１４ｂを突出部と称す。
【００１９】
フレキシブルプリント配線基板１３には、ボス１４ａおよび１４ｂに対応した位置に穴部（不図示）が設けられている。フレキシブルプリント配線基板１３は、当該穴部にボス１４ａ、１４ｂが嵌合することで位置決めがされる。同時に、フレキシブルプリント配線基板１３は当該穴部にボス１４ａ、１４ｂが嵌合することで、レンズ鏡筒ユニット９の筐体部分に固定される。
【００２０】
バッテリーボックスユニット１０は略Ｌ字形状のユニットであって、当該Ｌ字形状がカメラ１内の右側面側から上面側の位置に該当するように配置される。また、バッテリーボックスユニット１０は、前述したレンズ鏡筒ユニット９がＬ字形状の内側部分と隣接するように配置される。
【００２１】
以下、図４を参照して、バッテリーボックスユニット１０の詳細について説明する。図４は、本発明を実施した撮像装置の実施形態であるカメラ１のバッテリーボックスユニット１０の要部斜視図である。図４（ａ）は、バッテリーボックスユニット１０を上面側から見た斜視図である。図４（ｂ）は、バッテリーボックスユニット１０を下面側から見た斜視図である。なお、図４に図示するバッテリーボックスユニット１０は、照明窓３が取り外されている状態を示している。
【００２２】
図４（ａ）、図４（ｂ）に図示するように、ベース部材１８は、バッテリーボックスユニット１０の基礎となる部材であって、バッテリーボックスユニット１０の大部分を占める部材である。このベース部材１８に種々の部材が接続または装着されることで、バッテリーボックスユニット１０が形成される。
【００２３】
バッテリー収納部１５は、カメラ１の各部に電力を供給する電池（不図示）を収納するための収納室である。バッテリー収納部１５は、前述したレンズ鏡筒ユニット９右側面側に設けられている。
【００２４】
発光部１７は、発光することで被写体を照明できる発光手段である。本実施形態では、発光部１７としてＬＥＤ（Ｌｉｇｈｔ  Ｅｍｉｔｔｉｎｇ  Ｄｉｏｄｅ）を採用している。発光部１７を発光することで、当該発光による照明光が前述した照明窓３を透過して被写体に照射される。なお、発光部１７は、後述するフレキシブルプリント配線基板（以下、単にフレキシブル基板と称す）１６に実装されている。
【００２５】
フレキシブル基板（第２の基板）１６は、発光部１７、後述するバッテリーコネクタ２０、電気二重層キャパシタ（以下、単にキャパシタと称す）２１を実装する基板である。なお、フレキシブル基板１６は、前述したメイン基板ユニット１１のメイン基板（不図示）と電気的に接続されている。
【００２６】
フレキシブル基板１６の発光部１７の実装部分は、ベース部材１８に設けられているボス１９ａ、１９ｂによって位置決めがされている。なお、フレキシブル基板１６は両面テープによってベース部材１８に固定されている。
【００２７】
前述したように、フレキシブル基板１６には、電池（不図示）に設けられた電池端子と電気的に接続するためのバッテリーコネクタ２０が実装されている。バッテリーコネクタ２０は、バッテリー収納部１５の内部でベース部材１８に固定されている。バッテリー収納部１５に電池が挿入された状態で、当該電池の電池端子とバッテリーコネクタ２０とが電気的に接続される。
【００２８】
また、前述したように、フレキシブル基板１６には、発光部１７に供給する電力を蓄えるキャパシタ２１が実装されている。キャパシタ２１は、発光部１７を発光させるための蓄電および放電ができるキャパシタ（コンデンサ）である。なお、本実施形態のキャパシタ２１は、略矩形の扁平形状であって、メイン基板ユニット１１とバッテリー収納部１５の間の空間のうち、レンズ鏡筒ユニット９の上面側に配置されている。
【００２９】
レンズ鏡筒ユニット９とキャパシタ２１の下面側の面（第１の面）によって形成される空間（第１の空間）には、前述したベース部材１８のうち、キャパシタ２１を支持するための支持面１８ａが形成されている。
【００３０】
ベース部材１８の支持面１８ａには、レンズ鏡筒ユニット９とバッテリーボックスユニット１０が組み合わせられた状態で、前述したレンズ鏡筒ユニット９の突出部（電子部品１２、ボス１４ａ、１４ｂ）が入りこむための切り欠き部１８ｂが設けられている。前述した電子部品１２であるサーミスタは、この切り欠き部１８ｂに入り込むことでキャパシタ２１の周辺の温度を検出することができる。したがって、本実施形態のカメラ１は、レンズ鏡筒ユニット９とバッテリーボックスユニット１０とが組み合わせられた状態で、レンズ鏡筒ユニット９に設けられた電子部品１２によって、撮像用のレンズおよびキャパシタ２１の周囲の温度を検出することができる。
【００３１】
キャパシタ２１は、温度が上昇し所定値を超えると蓄電量が低下してしまう。したがって、キャパシタ２１の温度が過度に上昇することを抑制する制御のために、キャパシタ２１の周囲温度を計測する必要がある。当該制御としては、キャパシタ２１の充放電に関する動作や、キャパシタ２１の近傍の発熱源の動作を抑制する制御をおこなう。以上説明したように、本実施形態では、前述した電子部品（サーミスタ）１２をベース部材１８の切り欠き部１８ｂに入り込むように設けることで、レンズ鏡筒９側だけでなく、キャパシタ２１の周囲温度を計測することができる。なお、ベース部材１８の支持面１８ａ上であって、切り欠き部１８ｂ以外の位置には、弾性部材２３が設けられる。この詳細については後述する。
【００３２】
撮影レンズ鏡筒２の光軸を挟んで、キャパシタ２１の弾性部材２３によって支持されている側とは反対側に、キャパシタ２１をフレキシブル基板１６に実装するための実装端子２２が設けられている。この実装端子２２がフレキシブル基板１６に半田付け固定されることで、フレキシブル基板１６とキャパシタ２１とが電気的に接続される。なお、キャパシタ２１は、実装端子２２が発光部１７およびバッテリーコネクタ２０が配置されている側（右側面側）に位置するように配置されている。
【００３３】
キャパシタ２１と発光部１７およびバッテリーコネクタ２０とによって形成される空間（不図示）では、発光部１７の発光制御やキャパシタ２１の充電制御を行う制御ＩＣ（不図示）がフレキシブル基板１６に実装されている。
【００３４】
以下、図５を参照してキャパシタ２１の周辺各部の位置関係について説明する。図５は、本発明を実施した撮像装置の実施形態であるカメラ１のキャパシタ２１とその周辺の構成について説明する図である。図５（ｂ）は、図５（ａ）に図示したレンズ鏡筒ユニット９とバッテリーボックスユニット１０のＡ−Ａ’断面を示す断面図である。
【００３５】
図５（ｂ）に図示するように、キャパシタ２１は、キャパシタ２１の下面側の面（第１の面）の一部を弾性部材２３によって支持されている。また、キャパシタ２１の第１の面とは反対側の面（第２の面）と対向する位置に、前述したフレキシブル基板１６が設けられている。弾性部材２３は、キャパシタ２１を支持するための支持部材であって、ベース部材１８の支持面１８ａとキャパシタ２１との間に設けられている。
【００３６】
キャパシタ２１の第１の面とベース部材１８の支持面１８ａとの間には、所定の間隔を維持した空間（第２の空間）が設けられている。本実施形態では、この第２の空間に弾性部材２３が圧入されている。
【００３７】
なお、カメラ１の小型化および軽量化のために、キャパシタ２１の外装部分としてアルミフィルムのような比較的変形しやすい部材を採用している。したがって、本実施形態のキャパシタ２１は、蓄電や放電に応じて膨張および収縮する。特に、本実施形態では、キャパシタ２１として、蓄電量が比較的大きい電気二重層キャパシタを採用しているので、蓄電や放電に伴うキャパシタ２１の膨張や収縮の度合いが大きい。また、電気二重層キャパシタは、使用条件および温度環境の変化に応じて、膨張や収縮を頻繁におこなうという特性を有している。
【００３８】
図６は、本発明を実施した撮像装置の実施形態であるカメラ１のキャパシタ２１が膨脹した状態を例示的に説明した図である。なお、図６の断面は、図５（ｂ）と同様の断面を示している。前述したように、キャパシタ２１の第１の面とベース部材１８の支持面１８ａとの間には、所定の間隔を維持した空間（第２の空間）が設けられている。したがって、キャパシタ２１が膨張すると、図６に図示するように、キャパシタ２１を支持している弾性部材２３が圧縮される。そして、キャパシタ２１は、上述した空間の中で膨張することができる。すなわち、本実施形態のカメラ１では、キャパシタ２１の膨張を考慮した空間を予め設けているような構成である。
【００３９】
ここで、レンズ鏡筒ユニット９がバッテリーボックスユニット１０に組まれた状態では、支持面１８ａの切り欠き部１８ｂに、レンズ鏡筒ユニット９の電子部品１２とボス１４ａ、１４ｂが入り込む。なお、支持面１８ａ上において、切り欠き部１８ｂを避けた位置に弾性部材２３が設けられている。
【００４０】
この状態で、弾性部材２３がキャパシタ２１を支持する支持方向（図５（ｂ）のｚ方向）と直交する第１の方向（図５（ａ）のｘ方向）において、電子部品１２とボス１４ａ、１４ｂとベース部材１８の支持面１８ａとが重畳している。すなわち、弾性部材２３の支持方向と直交する第１の方向において、ベース部材１８の支持面１８ａとレンズ鏡筒ユニット９の突出部とが重畳している。なお、上述した第１の方向は、撮像用のレンズの光軸と平行な方向である。
【００４１】
次に、図７を参照してカメラ１を右側面方向から見た場合の、ベース部材１８とレンズ鏡筒ユニット９の突出部との位置関係について説明する。図７は、本発明を実施した撮像装置の実施形態であるカメラ１を右側面側から見た際のキャパシタ２１とその周辺の構成について説明した図である。図７（ｂ）は、図７（ａ）に図示したレンズ鏡筒ユニット９とバッテリーボックスユニット１０のＢ−Ｂ’断面を示す断面図である。
【００４２】
ここで、上述した第２の方向とは、弾性部材２３がキャパシタ２１を支持する支持方向と直交する方向であって、前述した実施形態で説明した第１の方向とは異なる方向である。具体的には、図７（ｂ）に図示するように、撮影レンズ鏡筒２に含まれる撮像用のレンズの光軸と平行な方向（ｘ方向）を第１の方向とした場合に、当該第１の方向および前述した支持方向（ｚ方向）と直交する方向が第２の方向（ｙ方向）となる。すなわち、弾性部材２３の支持方向と直交している方向であって、カメラ１を右側面側または左側面側から見た方向が第２の方向である。
【００４３】
図７（ｂ）に図示するように、レンズ鏡筒ユニット９がバッテリーボックスユニット１０に組まれた状態で、支持面１８ａの切り欠き部１８ｂに、レンズ鏡筒ユニット９の電子部品１２とボス１４ｂが入り込む。すなわち、弾性部材２３の支持方向と直交する第２の方向（ｙ方向）において、レンズ鏡筒ユニット９の一部である電子部品１２およびボス１４ｂが、ベース部材１８の支持面１８ａと重畳している。なお、図７（ｂ）では不図示であるが、第２の方向において、レンズ鏡筒ユニット９のボス１４ａもベース部材１８の支持面１８ａと重畳している。
【００４４】
以上説明したように、本実施形態のカメラ１は、弾性部材２３がキャパシタ２１を支持する方向と直交する方向である第１の方向および第２の方向において、レンズ鏡筒ユニット９とベース部材１８とが互いに重畳している構成である。この構成によって、キャパシタ２１の膨張を考慮して空間を設けるような場合であっても、ベース部材１８の支持面１８ａとレンズ鏡筒ユニット９の突出している部分とが重畳している分だけ、カメラ１が大型化することを抑制することができる。したがって、本実施形態のカメラ１は、撮像装置を大型化することなく、蓄電および放電をおこなうキャパシタ２１を撮像装置内部に配置することができる。
【００４５】
なお、本実施形態では、キャパシタ２１が撮像用のレンズの光軸の直上に設けるような構成である。したがって、キャパシタ２１が膨張できるだけの十分な空間を確保するため、撮像用のレンズの光軸の直上には、キャパシタ２１以外の部品をできるだけ配置しないような構成が望ましい。
【００４６】
ここで、撮影レンズ鏡筒２の外縁は略円筒形状なので、撮影レンズ鏡筒２の外縁とベース部材１８との間隔は、撮像用のレンズの光軸から距離によって異なる。例えば、カメラ１の下面からの高さが同じであっても、撮像用のレンズの光軸から距離が離れているほど、撮影レンズ鏡筒２の外縁とベース部材１８との間隔が大きい。
【００４７】
したがって、図８に図示するように、撮像用のレンズの光軸からの距離に応じて、キャパシタ２１の第１の面とレンズ鏡筒ユニット９によって形成される空間（第１の空間）の大きさも異なる。図８は、本発明を実施した撮像装置の実施形態であるカメラ１のレンズ鏡筒ユニット９とバッテリーボックスユニット１０とを組み合わせた状態の正面図である。
【００４８】
図８に図示するように、撮像用のレンズの光軸に対して右側面側の空間２４、および左側面側の空間２５は、当該レンズの光軸の直上の空間よりも、空間的な余裕が大きい。そこで、本実施形態のレンズ鏡筒ユニット９は、電子部品１２、ボス１４ａ、１４ｂが撮像用のレンズの光軸よりも左側面側に位置するような構成を採用している。また、本実施形態の発光部１７や制御ＩＣ（不図示）は、撮像用のレンズの光軸に対して右側面側に設けられている。すなわち、本実施形態のカメラ１は、撮像用のレンズの光軸の直上を避けて、レンズ鏡筒ユニット９の突出部、発光部１７、制御ＩＣを設けるような構成である。
【００４９】
ここで、弾性部材２３は、キャパシタ２１の第１の面と支持面１８ａによって形成される空間のうち、キャパシタ２１を支持する方向において、レンズ鏡筒ユニット９の突出部と重畳しないような位置に設けられる。
【００５０】
上述した構成であれば、キャパシタ２１が膨張するための空間を確保しつつ、レンズ鏡筒ユニット９の突出部や発光部１７、制御ＩＣをカメラ１内に配置することができる。また、上述した構成であれば、発光部１７や制御ＩＣ、キャパシタ２１の実装端子２２などの、フレキシブル基板１６に実装される各部を近接して配置することができるので、電気的な損失を低減することもできる。
【００５１】
以上、本発明の好ましい実施形態について説明したが、本発明はこれらの実施形態に限定されず、その要旨の範囲内で種々の変形及び変更が可能である。前述した実施形態では、ベース部材１８の支持面１８ａと重畳するレンズ鏡筒ユニット９の一部（突出部）として、電子部品１２およびボス１４ａ、１４ｂについて言及したが、これに限定されるものではない。例えば、レンズ鏡筒ユニット９の構成要素のうち、電子部品１２やボス１４ａ、１４ｂ以外の部材や部品が、ベース部材１８の支持面１８ａと重畳するような構成であってもよい。少なくとも、レンズ鏡筒ユニット９とベース部材１８とが互いに重畳するような構成であれば、上述した本発明の効果を奏することができる。
【００５２】
また、前述した実施形態では、弾性部材２３がキャパシタ２１を支持する方向と直交する第１の方向および第２の方向の両方において、レンズ鏡筒ユニット９の突出部と支持面１８ａとが重畳する構成であったが、これに限定されるものではない。
【００５３】
例えば、前述した第１の方向または第２の方向の何れか一方において、レンズ鏡筒ユニット９の突出部と支持面１８ａとが重畳する構成であればよい。この場合、弾性部材２３は、上述したレンズ鏡筒ユニット９と支持面１８ａとが重畳する位置とは異なる位置に設けられる。
【００５４】
また、弾性部材２３がキャパシタ２１を支持する方向と直交する方向は、前述した第１の方向および第２の方向に限定されるものではない。少なくとも、弾性部材２３がキャパシタ２１を支持する方向と直交する方向のうちの何れかの方向において、レンズ鏡筒ユニット９とベース部材１８の支持面１８ａとが重畳するような構成であれば、前述した本発明の効果を奏することができる。
【００５５】
なお、前述した実施形態のカメラ１は、キャパシタ２１を支持する部材として弾性部材２３を用いるような構成であるが、これに限定されるものではない。例えば、弾性材料以外の支持部によってキャパシタ２１を支持するような構成であってもよい。なお、上述した構成では、少なくとも上述した支持部が、キャパシタ２１の第１の面とベース部材１８の支持面１８ａとによって形成された空間の一部に設けられるような構成であればよい。
【００５６】
さらに、上述した支持部とベース部材１８とが一体的に形成されているような構成であってもよい。この場合、ベース部材１８の支持面１８ａに、キャパシタ２１が設けられている側に突出した支持部を形成する。そして、当該支持部でキャパシタ２１を支持する。すなわち、上述した構成では、ベース部材１８自体がキャパシタ２１を支持する支持部となる。この場合は、上述した支持部が、少なくとも、キャパシタ２１の第１の面とレンズ鏡筒ユニット９とによって形成された空間（第１の空間）の一部に設けられているような構成であればよい。
【００５７】
また、本実施形態のカメラ１は、キャパシタ２１がレンズ鏡筒ユニット９の上面側に設けられているような構成であるが、これに限定されるものではない。例えば、キャパシタ２１がレンズ鏡筒ユニット９の側面側または下面側に設けられているような構成であってもよい。この場合、ベース部材１８は、キャパシタ２１の配置に応じて支持面１８ａを設ける位置を変更する。そして、レンズ鏡筒ユニット９の一部とベース部材１８の支持面１８ａの一部とが互いに重畳するような構成であれば、前述した本発明の効果を奏することができる。
【符号の説明】
【００５８】
９  レンズ鏡筒ユニット
１０  バッテリーボックスユニット
１８  ベース部材（支持部）
２１  電気二重層キャパシタ（キャパシタ）
２３  弾性部材（支持部）
【図１】
2016042150.tif 000003
【図２】
2016042150.tif 000004
【図３】
2016042150.tif 000005
【図４】
2016042150.tif 000006
【図５】
2016042150.tif 000007
【図６】
2016042150.tif 000008
【図７】
2016042150.tif 000009
【図８】
2016042150.tif 000010